(57)【要約】【課題】熱可塑性ゴムの滑り止め性、と熱可塑性PVCの軽量を共に具えた滑り止め雨、雪靴を提供する。【解決手段】靴体２０および靴底１０から構成され、靴底は、耐摩擦性、滑り止め性のTPR（熱可塑性ゴム）から構成し、靴底上面にTPR処理剤を塗布し、靴底上方に可塑性PVC材料から構成される靴体を直接射出成型して一体成形する。  靴底のTPRは、滑り止め作用に優れ、靴体をPVCで形成することにより軽量、且つ安価にできる。また、靴底と靴体をそれぞれ組合わせて射出成形する構造により、これらをそれぞれ異なるデザインに合わせて組合わせることができる。【選択図】図3
0003134487.tif 000002
【実用新案登録請求の範囲】
【請求項１】
滑り止め靴であって、靴底および靴体から構成され、
靴底は、TPR（熱可塑性ゴム）材質製であって、その底面には模様が形成され、靴底上面にTPR処理剤を塗布し、
該靴底上面に溶融可塑性PVC材質の射出成型により靴体を成型して該靴体を靴底上面に緊密に固着させ、一体の靴構造を構成した滑り止め靴。
【請求項２】
前記靴底上面外周に環凸縁を形成し、靴底上面および環凸縁の間にTPR処理剤を塗布して、該靴底上面に溶融可塑性PVC材質の射出成型により靴体を一体成型してなる請求項１記載の滑り止め靴。
【請求項３】
前記靴底底面に凹んだ収容室を形成し、該収容室中に滑り止め部を実装してなる請求項１記載の滑り止め靴。
【請求項４】
前記滑り止め部は、取り付け部および作動部から構成され、その取り付け部は収容室上面に結合し、作動部はヒンジを介して取り付け部に結合し、該作動部は爪部を有してなる請求項３記載の滑り止め靴。
【請求項５】
前記靴体は、上端から下向きに脚部形状に合わせて着用空間を形成してなり、靴体に密封した底板を設けて、該底板は靴底上面に対応して固着してなる請求項１記載の滑り止め靴。
【請求項６】
前記靴体の着用空間側壁に中空内張りを貼り合わせ、着用空間底面にクッションを実装してなる請求項５記載の滑り止め靴。
【請求項７】
前記内張りおよびクッションの間に脚部を挿入させることができる綿状パッドを貼ってなる請求項５記載の滑り止め靴。
【請求項８】
前記靴体は、上端から下向きに脚部形状に合わせた着用空間を有し、該着用空間は直接靴底上面および靴体側壁の間に直接形成してなる請求項１記載の滑り止め靴。
【請求項９】
前記靴体の着用空間側壁に中空内張りを張り合わせ、着用空間底面にクッションを実装してなる請求項８記載の滑り止め靴。
【請求項１０】
前記靴底上面および環凸縁上に接着層を塗布し、靴体底段および靴底を緊密に一体に結合してなる請求項１記載の滑り止め靴。
【考案の詳細な説明】
【技術分野】
【０００１】
本考案は、滑り留め靴に関し、特に、異なる材質からなる靴体、靴底を緊密に一体に固着してなり、現在の雨靴または雪靴の構造に対応して、総重量を軽くし、耐摩擦性、滑り止め性を良くし、型式の変更に便利な多くの技術的特徴を兼具することを特徴とする滑り止め効果を有する雨靴または雪靴に関する。
【背景技術】
【０００２】
現在、通常雨靴または雪靴は単純で可塑性PVCまたはTPR(熱可塑性ゴム)で一体に成型して製造され、該材質はそれぞれその長所、短所を有する。
そのうち、TPRまたは天然ゴムは、良好な耐摩擦性および滑り止め性を有する長所があるが、コストが高く、全体的重量が重いという欠点があり、現在雨靴また雪靴は、総重量が数ｋｇで計算比較されるので、この種のTPRまたは天然ゴムを一体に成型した雨靴または雪靴は、市場で人気がない。
【０００３】
可塑性PVCで一体に成型された雨靴または雪靴は、重量が軽く、低価格である長所を有するが、耐摩擦性および滑り止め性が良好ではない欠点があるので、該構造は雨靴または雪靴を使用する時、安全性が良好ではない重大な問題点を有する。
【０００４】
また、上記のTPRまたはPVCを一体に成型した雨靴または雪靴は、型式を変更し、靴体または靴底の模様を変更する時、新たに型を変更しなければならず、雨靴または雪靴の規格は相当多いため、これらの型式変更金型のコストは大きなものである。
【０００５】
上記から分かるように、重量が軽く、耐摩擦性、滑り止め性が良好で、型式変更コストが低い効果を兼ね備える雨靴または雪靴は、その経済利益および実用性が良いことは言うまでもないことであり、多くの関連メーカーが研究開発を行うものであるが、これらの需要に応える雨靴または雪靴は現在使用されていない。
【特許文献１】特開昭６２−２６８５０１号公報
【考案の開示】
【考案が解決しようとする課題】
【０００６】
本考案の主要な目的は：総重量が軽く、耐摩擦性、滑り止め性が良好である雨靴または雪靴構造を提供し、且つ型式を変更時に製造が容易に対応できる長所を持たせることである。
【課題を解決するための手段】
【０００７】
前記内容の要求を達成するため、その靴底は耐摩擦、滑り止めのＴＰＲ（熱可塑性ゴム）から構成され、その上面はＴＰＲ処理剤を塗布し、その後、靴底上方に可塑性ＰＶＣ材質から構成される靴体を張り合わせるか、直接成型し、一体に緊密固着させた雨靴または雪靴構造を完成する。
【考案の効果】
【０００８】
本考案は：総重量が軽く、耐摩擦性、滑り止め性が良好である雨靴または雪靴構造を提供し、且つ型式を変更時に製造が容易に対応できる滑り止め靴を提供する。
【考案を実施するための最良の形態】
【０００９】
図１および図４において、本考案は、靴底１０、靴体２０から構成される。
【００１０】
靴底１０は、耐摩擦性および滑り止め性が良好なＴＰＲ（熱可塑性ゴム）材質から構成され、射出成形により形成するのは、例えば、片状体の大きな底であり、その上面外周に環凸縁１１を形成すると共に底面には、必要に応じて模様１２を形成する。図４に示すように、靴底１０の底面は、上向きに収容室１３を凹ませてなり、滑り止め部１４を実装する。滑り止め部１４は、取り付け部１４１により収容室１３上面に固定され、取り付け部１４１は、ヒンジによって爪部を有する作動部１４２が結合され、この作動部１４２は、取り付け部１４１と係合して作動部１４２の爪部を収容部１３中に収容させるか、または地面が滑り易い時、該作動部１４２をヒンジを介して展開定位させ、その爪部を収容室１３から突出させて靴底１０の一部に優れた接地力を提供する。
【００１１】
一体成型を例とすれば、靴底１０を射出機台に置き、治具により定位し、その後、靴底１０上面および環凸縁１１の間にＴＰＲ処理剤を塗布し、続いて、この靴底１０上面に靴体の金型を合わせ、溶融した可塑性ＰＶＣ材料を射出して靴底１０上面に靴体２０を成型し、靴体２０を靴底１０上面に緊密に固着させ、一体に雨靴または雪靴構造を構成する。
この靴体２０は、上端から下向きに脚部形状に合った着用空間２１を凹ませてなり、靴体２０に密閉した底板２２を具えることにより、該底板２２は、靴底１０の環凸縁１１内および靴底１０上面の間でこれらに固着する。
【００１２】
以上の内容から分かるように、本考案は先ず、靴底１０を耐摩擦性、滑り止め性が良好なＴＰＲ（熱可塑性ゴム）を注入して構成しているので、それによって地面との接触において耐摩擦性、滑り止め、使用寿命延長の特性を有し、この靴底１０上に可塑性ＰＶＣから構成する靴体２０を成型し、該靴体２０は、加工が容易で、重量が軽く、コストが低い長所を有しているので、本考案の雨靴または雪靴は、良好な浸透防止、総重量軽量および使用安全性の特徴を兼ね備えることができる。
【００１３】
また、靴体２０は、好みに合わせて設計し、異なる造型を成型することができ、靴全体に対する雨靴または雪靴の金型を用いる必要がなく、同一の靴底１０を用いて、多くの型式の異なる雨靴または雪靴の外形に合わせることができ、雨靴または雪靴の規格が多様化する状況の下、毎年型式変更する金型のコストを低減できる。同様にして、型式を変更し、靴底１０の模様１２を変更し、靴体２０を変更しない時も、靴底１０の金型のみを新たに変更するだけでよい。
【００１４】
図３および図５において、本考案は着用空間２１側壁に中空内張り３０を張り合わせ、着用空間２１底面にクッション４０を実装し、該雨靴または雪靴に心地よさを持たせ、図６は、更に該内部３０およびクッション４０の間に脚部を入れさせることができる綿状パッド５０を貼り合わせ、良好な保温効果を達成する。
【００１５】
図３および図７において、図７は本考案の靴体の金型が直接靴底１０上面に隣接し、靴体２０を靴底１０に成型した後、靴体２０の着用空間２１は直接靴底１０上面および靴体２０側壁の間に形成される。このような実施例は、図３の底板２２の部分を省略することができ、軽量化の要求を達成し、図８は更に着用空間２１側壁に中空内張り３０を張り合わせ、着用空間２１底面にクッション４０を実装し、該雨靴または雪靴の心地よさを向上させる。
【００１６】
図１および図９において、本考案の成型は貼り合わせ方式を採用し、靴底１０上面および環凸縁１１内側に接着層６０を塗布し、靴体２０と靴底１０を接着し一体に結合させる。
【００１７】
前記に基づき、本考案の「TPR（熱可塑性ゴム）から構成する靴底、可塑性PVCから構成される靴体を緊密に一体に固着する」構造特徴は、従来は見られないものであり、且つ雨靴または雪靴に防浸透性および総重量軽量、耐摩擦性、滑り止め性および型式変更に便利である効果を兼ね備えることは、従来技術に無く、技術的理念上の高度考案であり、新規性、進歩性をそなえ、法に基づき出願を提出するものである。  本考案は、その他の実施方式の変化を有するので、当該技術者が、本考案の精神を離脱しない下、その他の様式の実施を進行しても、いずれも本考案の特許請求範囲と同等な効果による実施に属す。
【図面の簡単な説明】
【００１８】
【図１】本考案の靴底および靴体の分解説明図である。
【図２】本考案の靴体を成型した後の組み合わせ外観説明図である。
【図３】本考案の靴体を成型した後の側面図である。
【図４】本考案の靴底を上にした説明図である。
【図５】本考案の第２実施例の説明図である。
【図６】本考案の第３実施例の説明図である。
【図７】本考案の第４実施例の説明図である。
【図８】本考案の第５実施例の説明図である。
【図９】本考案のもう１つの靴体と靴底を固着した断面説明図である。
【符号の説明】
【００１９】
１０  靴底
１１  環凸縁
１２  模様
１３  収容室
１４  滑り止め部
１４１  取り付け部
１４２  作動部
２０  靴体
２１  着用空間
２２  底板
３０  内部
４０  クッション
５０  綿状パッド
６０  接着層
【図１】
0003134487.tif 000003
【図２】
0003134487.tif 000004
【図３】
0003134487.tif 000005
【図４】
0003134487.tif 000006
【図５】
0003134487.tif 000007
【図６】
0003134487.tif 000008
【図７】
0003134487.tif 000009
【図８】
0003134487.tif 000010
【図９】
0003134487.tif 000011